(57)【要約】  【課題】  複数のキー画像又は複数の関心領域が存在する場合において、キー画像又は関心領域毎に読影レポートデータを管理することができる読影レポート作成装置を提供する。  【解決手段】  この読影レポート作成装置は、表示部１００と、所見入力エリアの表示形式を規定する複数のテンプレートを格納するテンプレート格納手段１３１と、ユーザによって指定されたキー画像及び／又はアノテーションを表示部に表示させるキー画像挿入手段１１と、複数のテンプレートの内から１つのテンプレートを選択することにより、ユーザによって指定された少なくとも１つのキー画像及び／又は少なくとも１つのアノテーションと、それに対応する少なくとも１つの所見入力フィールドとを含む所見入力エリアを作成して表示部に表示させる所見入力エリア作成手段１２と、所見入力エリア管理手段１３と、所見挿入手段１４とを具備する。【選択図】  図２
2007072649.tif 000002
【特許請求の範囲】
【請求項１】
医用画像に基づいて読影レポートを作成する際に用いられる読影レポート作成装置であって、
ユーザが所見を入力するための所見入力エリアを表示する表示部と、
所見入力エリアの表示形式を規定する複数のテンプレートを格納するテンプレート格納手段と、
医用画像を表す画像データに基づいて、ユーザによって指定された少なくとも１つのキー画像及び／又は少なくとも１つのアノテーションを前記表示部に表示させるキー画像挿入手段と、
前記テンプレート格納手段に格納されている複数のテンプレートの内から１つのテンプレートを選択することにより、ユーザによって指定された少なくとも１つのキー画像及び／又は少なくとも１つのアノテーションと、それに対応する少なくとも１つの所見入力フィールドとを含む所見入力エリアを作成して前記表示部に表示させる所見入力エリア作成手段と、
所見入力エリア内に表示されたキー画像又はアノテーションと所見入力フィールドとの対応関係を管理する所見入力エリア管理手段と、
所見入力エリア内に表示された所見入力フィールドに所見を挿入する所見挿入手段と、
を具備する読影レポート作成装置。
【請求項２】
前記所見挿入手段が、ユーザによって指定されたキー画像を表す画像データに付帯する検査情報に対応して決定された既定文を、該キー画像に対応する所見入力フィールドに挿入する、請求項１記載の読影レポート作成装置。
【請求項３】
前記所見入力エリア作成手段が、ユーザによって追加されたキー画像及び／又はアノテーションに対応して新たなテンプレートを選択し、選択されたテンプレートに基づいて所見入力エリアを前記表示部に表示させる、請求項１又は２記載の読影レポート作成装置。
【請求項４】
前記所見入力エリア作成手段が、ユーザによってキー画像が追加された際に、キー画像に付帯する検査情報に対応して新たなテンプレートを選択し、選択されたテンプレートに基づいて所見入力エリアを前記表示部に表示させる、請求項３記載の読影レポート作成装置。
【請求項５】
前記テンプレート格納手段が、医用画像に付帯する複数種類の検査情報に対応して複数のテンプレートを格納する、請求項４記載の読影レポート作成装置。
【請求項６】
前記所見入力エリア管理手段が、所見入力エリアにおけるキー画像及び／又はアノテーションと、所見入力フィールドと、所見入力フィールドに挿入された所見との対応関係を管理して、読影レポートを表すレポートデータを格納する読影レポートサーバに該対応関係を表すデータを格納する、請求項１〜５のいずれか１項記載の読影レポート作成装置。
【発明の詳細な説明】
【技術分野】
【０００１】
本発明は、画像による医療診断のために用いられる検査画像（医用画像）の撮影後に医師によって行われる読影を支援するための読影支援システムにおいて、読影レポートを作成するために用いられる読影レポート作成装置に関する。
【背景技術】
【０００２】
近年、ＣＲ（computed radiography：コンピュータ放射線撮影）、ＭＲＩ（magnetic resonance imaging：磁気共鳴撮影）、ＣＴ（computed tomography：コンピュータ断層撮影）等の医用ディジタル画像生成技術の普及に伴い、検査によって取得された医用画像を電子的に管理することが行われている。
【０００３】
一般に、撮像検査が行われた場合には、患者に対して担当医による具体的な診断が下される前に、生成された医用画像について読影医による読影が行われ、読影結果や所見が記入された読影レポートが作成される。従来は、ディジタル画像データが生成された場合においても、読影の際には、写真フィルムにハードコピーされた医用画像が用いられていたが、高精細な画像モニタ（ビューワ）の開発に伴い、モニタ上に表示された医用画像を読影することも行われるようになっている。
【０００４】
読影レポートにおいては、読影医によって作成された読影結果や所見を、読影に用いられたキー画像と共に表示できるようにしておくことが望ましい。そうすることによって、後に読影レポートを利用する際に、読影結果や所見の基礎となったキー画像を直ちに参照することができるので、担当医の負担が軽減されると共に、迅速な診断を行うことができる。
【０００５】
関連する技術として、特許文献１には、診断体系に沿った電子化診断レポートを、少ない労力と時間で作成できるように支援する診断レポート作成支援装置が開示されている。この診断レポート作成支援装置は、定型フォームの診断レポートを編集する診断レポート作成支援装置であって、前記診断レポートを表示する手段と、医用撮像装置で撮影された画像を外部より読み込み表示する画像表示手段と、表示した画像の内から特定の画像の選択を受け付ける手段と、選択を受け付けた画像を、前記診断レポート上に貼り付ける手段とを有する。
【０００６】
しかしながら、この診断レポート作成支援装置においては、複数のキー画像又は複数の関心領域が存在する場合においても、それらに関する所見を同一の所見入力欄に記載することを前提としているので、複数のキー画像又は複数の関心領域が存在する場合には、キー画像毎に読影レポートデータを管理することができない。
【特許文献１】特開２００２−１２３６０５号公報（第１−２頁、図１）
【発明の開示】
【発明が解決しようとする課題】
【０００７】
そこで、上記の点に鑑み、本発明は、複数のキー画像又は複数の関心領域が存在する場合において、キー画像又は関心領域毎に読影レポートデータを管理することができる読影レポート作成装置を提供することを目的とする。
【課題を解決するための手段】
【０００８】
上記課題を解決するため、本発明の１つの観点に係る読影レポート作成装置は、医用画像に基づいて読影レポートを作成する際に用いられる読影レポート作成装置であって、ユーザが所見を入力するための所見入力エリアを表示する表示部と、所見入力エリアの表示形式を規定する複数のテンプレートを格納するテンプレート格納手段と、医用画像を表す画像データに基づいて、ユーザによって指定された少なくとも１つのキー画像及び／又は少なくとも１つのアノテーションを表示部に表示させるキー画像挿入手段と、テンプレート格納手段に格納されている複数のテンプレートの内から１つのテンプレートを選択することにより、ユーザによって指定された少なくとも１つのキー画像及び／又は少なくとも１つのアノテーションと、それに対応する少なくとも１つの所見入力フィールドとを含む所見入力エリアを作成して表示部に表示させる所見入力エリア作成手段と、所見入力エリア内に表示されたキー画像又はアノテーションと所見入力フィールドとの対応関係を管理する所見入力エリア管理手段と、所見入力エリア内に表示された所見入力フィールドに所見を挿入する所見挿入手段とを具備する。
【発明の効果】
【０００９】
本発明によれば、ユーザによって指定されたキー画像及び／又はアノテーションに対応して、所見入力エリアの表示形式を規定する複数のテンプレートの内から１つのテンプレートを選択し、指定されたキー画像及び／又はアノテーションに対応する所見入力フィールドとを含む所見入力エリアを表示部に表示させることにより、複数のキー画像又は複数の関心領域が存在する場合において、キー画像又は関心領域毎に読影レポートデータを管理することができる。
【発明を実施するための最良の形態】
【００１０】
以下、本発明を実施するための最良の形態について、図面を参照しながら詳しく説明する。なお、同一の構成要素には同一の参照番号を付して、説明を省略する。
図１は、本発明の一実施形態に係る読影レポート作成装置を含む読影支援システムの構成を示すブロック図である。この読影支援システムは、読影レポート作成装置１と、少なくとも１つの画像表示端末（ビューワ）２と、画像サーバ３と、読影レポートサーバ４とを含んでいる。また、読影レポート作成装置１は、ＲＩＳ（radiology information system：放射線科情報管理システム）５、及び、ＣＲ装置６ａ、ＣＴ装置６ｂ、ＭＲＩ装置６ｃ等の撮影モダリティに接続されていても良い。図１に示すように、これらの装置は、ＬＡＮ（ローカル・エリア・ネットワーク）等のネットワークを介して相互に接続されていても良い。
【００１１】
図１に示すように、読影レポート作成装置１は、表示部１００及び入力部１１０を備えている。表示部１００は、読影すべき検査をユーザ（読影医）が選択するために用いられるワークリストや、作成中の読影レポート等を表示するための表示装置である。また、入力部１１０は、キーボードやマウス等の入力装置である。図１は、ユーザによって指定されたキー画像１０２と、ユーザによって入力されたテキスト情報が表示される所見記入欄（所見入力フィールド）１０３とを含む所見入力エリア１０１が、表示部１００の画面に表示された状態を示している。
【００１２】
画像表示端末２は、読影対象となっている検査画像を表示するための端末装置であり、高精細なディスプレイを備えている。図１には、画面２００上の複数のコマ２１０に複数のスライス画像がそれぞれ表示されている状態が示されている。図１においては、２つの画像表示端末２が示されているが、読影に際しては、少なくとも１つの画像表示端末２が用いられ、３つ以上の画像表示端末２が用いられても良い。
【００１３】
画像サーバ３は、例えば、ＣＲ装置６ａ、ＣＴ装置６ｂ、ＭＲＩ装置６ｃ等の撮影モダリティによって取得された画像データを保管及び管理するＰＡＣＳ（Picture Archiving and Communication System：医用画像情報システム）用のサーバである。画像サーバ３は、読影レポート作成装置１の要求に従って、所望の画像データを読影レポート作成装置１に出力する。
【００１４】
通常、ＣＴ検査やＭＲＩ検査を行うことにより、複数のスライス位置における複数の断層画像によって構成される１つ又は複数のシリーズが取得される。即ち、検査においては、複数の撮影法が用いられる場合があり、それらの撮影法に応じて、複数のシリーズの画像が取得される。例えば、ＣＴ検査においては、単純ＣＴ撮影法及び造影ＣＴ撮影法が行われ、ＭＲＩ検査においては、Ｔ１強調画像撮影法、Ｔ２強調画像撮影法、及び、ＳＥ（スピン・エコー）撮影法が行われる。本実施形態において、画像データは、ＤＩＣＯＭ（digital imaging and communication medicine：医用ディジタル画像通信）の規格に従って、患者情報及び検査情報を含む画像付帯情報と共に管理されている。
【００１５】
患者情報には、例えば、患者氏名、患者ＩＤ番号、生年月日、年齢、性別、住所等を表す情報が含まれている。また、検査情報には、例えば、検査ＩＤ番号、検査日付、診療日付、撮影メニュー、撮影モダリティ、撮影法等を表す情報が含まれている。ここで、撮影メニューには、撮影の対象となる頭部、頸部、胸部、胸腹部、腹部、腰椎、四肢等の検査部位と、患者に対する撮影の方向を表す正面又は側面等の撮影方向とが含まれている。
【００１６】
読影レポートサーバ４は、作成された読影レポートを表すレポートデータを格納する。レポートデータには、レポートＩＤ、患者ＩＤ、患者名、読影対象である検査を特定する情報、読影医による所見として表示されるテキスト情報、キー画像データ、その画像付帯情報、及び、アノテーション情報等が含まれる。ここで、キー画像とは、１回の検査によって得られた一連の画像の内で、読影の鍵になると読影医によって判断された画像のことであり、１つの検査について１つ又は複数の画像がキー画像として指定される。
【００１７】
一般に、キー画像としては、病変部位が判り易く表されているスライス画像や、特に注目すべき部位が表されたスライス画像や、読影に適していると判断されたスライス画像が指定される。キー画像として指定されたスライス画像は、ＪＰＥＧ形式やビットマップ形式等の汎用の画像フォーマットに変換されて、読影レポート１０１に貼り付けられた状態で表示される。また、アノテーション（注釈）情報とは、検査画像を参照しながら医師によって入力される所見や、注意して観察すべき部分を示すためにキー画像上に表示される矢印等の記号や領域を囲む線のことである。
【００１８】
各キー画像の付帯情報は、ＤＩＣＯＭのシリーズ番号、プロトコル名、シリーズ記述、検査部位等のシリーズの種別を識別する情報と、患者位置、画像位置、画像番号、スライス厚さ、スライス位置等のキー画像のスライス位置を特定する情報とを含んでいる。また、ＭＲＩ装置により取得されたＭＲ画像については、撮影法に応じて、画像タイプ、スキャニングシーケンス、シーケンス変形、スキャンオプション等の情報も用いられる。
【００１９】
ＲＩＳ５は、放射線科における放射線検査を管理するためのサーバであり、入力用端末によって入力された患者情報や検査内容等の情報に基づいて、検査スケジュールの管理や、撮影モダリティへの検査のオーダーや、撮像が終了した検査について読影のオーダーを行う。
【００２０】
本実施形態においては、ユーザ（読影医）が、画像表示端末２に表示された検査画像を参照して１つ又は複数のキー画像を指定して、入力部１１０を操作することにより、そのキー画像を読影レポートに貼り付けると、キー画像１０２及びそれに対応する所見入力フィールド１０３を含む所見入力エリア１０１が自動的に表示される。
【００２１】
ユーザが、複数のキー画像を指定した場合には、それらのキー画像に対応する複数の所見入力フィールドを含む所見入力エリアが自動的に表示される。また、ユーザが、１つのキー画像に対して複数のアノテーションを指定した場合にも、それらのアノテーションに対応する複数の所見入力フィールドを含む所見入力エリアが自動的に表示される。
【００２２】
表示された所見入力フィールド１０３には、キー画像又はアノテーションに基づいて決定された既定文が自動的に挿入されるので、ユーザが読影レポートを作成するための手間を軽減することができる。ユーザは、画像表示端末２に表示された検査画像を観察しながら、入力部１１０を用いて、所見入力エリア１０１にテキスト情報等を追加することにより、読影レポートを完成させる。
【００２３】
次に、図１及び図２を参照しながら、本実施形態に係る読影レポート作成装置の構成について説明する。
図２は、図１に示す読影レポート作成装置の構成を示すブロック図である。図２に示すように、読影レポート作成装置１は、先に説明した表示部１００及び入力部１１０に加えて、中央演算装置（以下、ＣＰＵという）１０と、画像サーバ３から入力される画像データ等を一時的に記憶するメモリ１２０と、記録媒体としてのハードディスク１３１を制御するハードディスク制御部１３０と、ネットワークインタフェース１４０とを含んでいる。これらは、バスラインを介して相互に接続されている。また、ＣＰＵ１０は、ネットワークインタフェース１４０を介して、ネットワークに接続される。
【００２４】
ハードディスク１３１には、所見入力エリアのテンプレート１〜Ｎの他に、ＣＰＵ１０に処理を行わせるためのソフトウェア（プログラム）が記録されている。なお、記録媒体としては、内蔵のハードディスク１３１の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２５】
次に、ＣＰＵ１０とソフトウェア（プログラム）とによって構成される複数の機能ブロックについて説明する。これらの機能ブロックは、キー画像挿入部１１と、所見入力エリア作成部１２と、所見入力エリア管理部１３と、所見挿入部１４とを含んでいる。
【００２６】
ユーザが、画像表示端末２に表示された検査画像を参照しながら１つ又は複数のキー画像を指定し、入力部１１０を操作することによりキー画像の貼り付けを指示すると、キー画像挿入部１１は、ユーザによって指定されたキー画像１０２を、表示部１００の画面内に挿入する。
【００２７】
所見入力エリア作成部１２は、ユーザによって指定されたキー画像に対応して、ハードディスク１３１に格納されている所見入力エリアのテンプレート１〜Ｎの内から１つのテンプレートを選択することにより、選択したテンプレートに基づいて所見入力エリア１０１を作成し、表示部１００の画面内に表示する。所見入力エリア１０１は、ユーザによって指定された１つ又は複数のキー画像１０２と、それに対応する１つ又は複数の所見入力フィールド１０３とを含んでいる。さらに、所見挿入部１４は、キー画像に対応して既定文を決定し、決定された既定文を所見入力フィールド１０３内に挿入する。
【００２８】
また、ユーザが、画像表示端末２に表示された検査画像を参照しながら入力部１１０を操作することにより、１つのキー画像について複数のアノテーションを指定すると、所見入力エリア作成部１２は、ユーザによって指定されたキー画像及び／又はアノテーションに対応して、ハードディスク１３１に格納されている所見入力エリアのテンプレート１〜Ｎの内から１つのテンプレートを選択することにより、選択したテンプレートに基づいて所見入力エリア１０１を作成し、表示部１００の画面内に表示する。所見入力エリア１０１は、ユーザによって指定された複数のアノテーションと、それに対応する複数の所見入力フィールドとを含んでいる。さらに、所見挿入部１４は、キー画像又はアノテーションに対応して既定文を決定し、決定された既定文を所見入力フィールド内に挿入する。
【００２９】
ここで、所見入力エリアのテンプレート１〜Ｎは、検査の種類（撮影モダリティ等）、撮影部位、撮影法等の検査情報に対応して設定されるようにしても良い。その場合には、所見入力エリア作成部１２が、ユーザによって指定されたキー画像データに付帯している検査情報に対応して、ハードディスク１３１に格納されている所見入力エリアのテンプレート１〜Ｎの内から１つのテンプレートを選択し、また、所見挿入部１４が、既定文を決定する。
【００３０】
所見入力エリア管理部１３は、所見入力エリア内に表示されたキー画像又はアノテーションと所見入力フィールドとの対応関係を管理している。例えば、所見入力エリア管理部１３は、所見入力エリアにおけるキー画像及び／又はアノテーションと、所見入力フィールドと、所見入力フィールドに挿入された所見との対応関係を管理して、該対応関係を表すデータを読影レポートサーバ４に格納する。
【００３１】
次に、図２に示す読影レポート作成装置によって作成される読影レポートの例について説明する。ここでは、ＭＲＩ装置を用いた検査のように、一度の撮影で異なる性質の複数の画像を作成する検査を行うものとする。
【００３２】
図３は、図２に示す読影レポート作成装置によって作成される所見入力エリアの第１の例を示す模式図である。ユーザが、画像表示端末２に表示された検査画像を参照しながら１つのキー画像を指定し、入力部１１０を操作することによりキー画像の貼り付けを指示すると、キー画像挿入部１１は、指定されたキー画像１０２ａを表示部１００の画面内に表示させる。
【００３３】
所見入力エリア作成部１２は、ハードディスク１３１に格納されている所見入力エリアのテンプレート１〜Ｎの内からテンプレート１を選択し、このテンプレート１に基づいて、キー画像１０２ａ及びそれに対応する所見入力フィールド１０３ａを含む所見入力エリア１０１を、表示部１００の画面内に表示させる。
【００３４】
さらに、所見挿入部１４は、キー画像データに付帯されている検査情報に基づいて、検査部位が腹部であり、検査の種類（検査種）がＭＲＩ検査であり、撮影法がＴ１強調画像撮影法である旨の既定文を、所見入力フィールド１０３ａ内に挿入する。
【００３５】
図４は、図２に示す読影レポート作成装置によって作成される所見入力エリアの第２の例を示す模式図である。ユーザが、もう１つのキー画像を読影レポートに追加すると、キー画像挿入部１１は、そのキー画像１０２ｂを表示部１００の画面内に表示させる。所見入力エリア作成部１２は、ハードディスク１３１に格納されている所見入力エリアのテンプレート１〜Ｎの内からテンプレート２を選択し、このテンプレート２に基づいて、キー画像１０２ａ及びそれに対応する所見入力フィールド１０３ａと、キー画像１０２ｂ及びそれに対応する所見入力フィールド１０３ｂとを含む所見入力エリア１０１を、表示部１００の画面内に表示させる。
【００３６】
さらに、所見挿入部１４は、キー画像データに付帯されている検査情報に基づいて、検査部位が腹部であり、検査の種類（検査種）がＭＲＩ検査であり、撮影法がＴ２強調画像撮影法である旨の既定文を、所見入力フィールド１０３ｂに挿入する。
【００３７】
また、ユーザは、所見入力エリア作成部１２が選択するテンプレートを、事前又は事後的に変更することができる。例えば、図５に示すように、所見入力エリア１０１の第１の領域には、所見文を入力するための所見入力フィールド１０３ａの他に、撮影法を入力するための所見入力フィールド１０４ａと、サイズを入力するための所見入力フィールド１０５ａと、患部を入力するための所見入力フィールド１０６ａとが表示されている。また、所見入力エリア１０１の第２の領域には、所見文を入力するための所見入力フィールド１０３ｂの他に、撮影法を入力するための所見入力フィールド１０４ｂと、サイズを入力するための所見入力フィールド１０５ｂと、患部を入力するための所見入力フィールド１０６ｂとが表示されている。
【００３８】
ここで、撮影法を入力するための所見入力フィールド１０４ａ及び１０４ｂには、所見挿入部１４が、キー画像に付帯している検査情報によって特定される撮影法を自動的に入力することができる。患部等のサイズを計測する検査においては、サイズを入力するための所見入力フィールド１０５ａ及び１０５ｂに、ユーザが、計測されたサイズを入力することができる。また、患部を入力するための所見入力フィールド１０６ａ及び１０６ｂには、ユーザが、患部の名称を入力することができる。サイズや患部の名称が入力される前は、所見入力フィールド１０５ｂ及び１０６ｂにおけるように、「未入力です」と表示されている。
【００３９】
このようにして、読影レポート作成装置１は、図６に示すようなデータ構造を有するレポートデータを作成する。図６において、所見入力エリアの第１の領域Ａ１を表すデータ構造は、Ｔ１画像のキー画像１０２ａを表す画像データと、所見入力フィールド１０３ａ、１０４ａ、・・・を表す所見入力フィールドデータとを含んでいる。また、所見入力エリアの第２の領域Ａ２を表すデータ構造は、Ｔ２画像のキー画像１０２ｂを表す画像データと、所見入力フィールド１０３ｂ、１０４ｂ、・・・を表す所見入力フィールドデータとを含んでいる。
【００４０】
図７は、図２に示す読影レポート作成装置によって作成される読影レポートにおける所
見入力フィールドのデータ例を示す図である。所見入力フィールドにおいて、読影レポートは、ＸＭＬ形式等で構造化されデータ化される。図７に示すように、所見の記載内容が所見入力エリアの領域毎に構造化されていれば、各領域を選択的に指定することにより、検索を確実かつ迅速に行うことができる。
【００４１】
例えば、気管支における腫瘍について記載されている読影レポートを検索すべき場合に、検索キーとして「気管支」＆「腫瘍」を使用する場合について考える。１つの読影レポートに「気管支」と「腫瘍」との両方を記載してしまうと、「気管支」と「腫瘍」とが関係ない場合においても、この読影レポートが検索されてしまう。一方、図７に示すように、「気管支」を所見１に記載して「腫瘍」を所見２に記載すれば、この読影レポートが検索されることはない。このようにして、検索すべき内容に該当しない読影レポートがヒットすることを回避できる。
【００４２】
また、Ｔ１画像について気管支に関する記載がある読影レポートを検索する場合に、検索キーとして「Ｔ１画像」＆「気管支」を使用すれば、図７に示す所見２は検索対象とならないので、所見全文を検索する場合と比較して高速で検索できるので検索効率が良い。
【００４３】
図８は、図２に示す読影レポート作成装置によって作成される所見入力エリアの第３の例を示す模式図である。この例は、１つのキー画像において複数の患部が存在する場合に、患部毎に所見入力フィールドが分割される場合を示している。ユーザが、キー画像上において、複数の患部（ここでは、患部Ａ及び患部Ｂとする）をそれぞれ示す複数のアノテーション１０７ａ及び１０７ｂを作成すると、所見入力エリア作成部１２が、これらのアノテーション１０７ａ及び１０７ｂにアノテーション識別子１０８ａ及び１０８ｂをそれぞれ付して、アノテーション１０７ａ及び１０７ｂに対応する所見入力フィールド１０９ａ及び１０９ｂを作成する。
【００４４】
さらに、所見挿入部１４は、検査の種類（検査種）が単純ＣＴ検査であり、検査部位が腹部である旨の既定文を作成し、所見入力フィールド１０９ａ及び１０９ｂに、これらの既定文と、アノテーション識別子１０８ａ及び１０８ｂを表す文字（丸印で囲まれた１及び２）とを挿入する。所見入力エリア管理部１３は、複数のアノテーションと複数の所見入力フィールドとを関連付けて、それらの対応関係を表す情報を読影レポートサーバ４に格納する。その他の事項については、図３〜図７を参照しながら説明したのと同じである。
【産業上の利用可能性】
【００４５】
本発明は、医用画像の撮影後に医師によって行われる読影を支援するための読影支援システムにおいて、読影レポートを作成するために用いられる読影レポート作成装置において利用することが可能である。
【図面の簡単な説明】
【００４６】
【図１】本発明の一実施形態に係る読影レポート作成装置を含む読影支援システムの構成を示すブロック図である。
【図２】図１に示す読影レポート作成装置の構成を示すブロック図である。
【図３】図２に示す読影レポート作成装置によって作成される所見入力エリアの第１の例を示す模式図である。
【図４】図２に示す読影レポート作成装置によって作成される所見入力エリアの第２の例を示す模式図である。
【図５】図２に示す読影レポート作成装置によって作成される所見入力エリアの変更例を示す模式図である。
【図６】図２に示す読影レポート作成装置によって作成される所見入力エリアのデータ構造を示す図である。
【図７】図２に示す読影レポート作成装置によって作成される読影レポートにおける所見入力フィールドのデータ例を示す図である。
【図８】図２に示す読影レポート作成装置によって作成される所見入力エリアの第３の例を示す模式図である。
【符号の説明】
【００４７】
１  読影レポート作成装置
２  画像表示端末
３  画像サーバ
４  読影レポートサーバ
５  ＲＩＳ
６ａ  ＣＲ装置
６ｂ  ＣＴ装置
６ｃ  ＭＲＩ装置
１０  ＣＰＵ
１１  キー画像挿入部
１２  所見入力エリア作成部
１３  所見入力エリア管理部
１４  所見挿入部
１００  表示部
１０１  所見入力エリア
１０２  キー画像
１０３  所見入力フィールド
１１０  入力部
１２０  メモリ
１３０  ハードディスク制御部
１３１  ハードディスク
１４０  ネットワークインタフェース
【図１】
2007072649.tif 000003
【図２】
2007072649.tif 000004
【図３】
2007072649.tif 000005
【図４】
2007072649.tif 000006
【図５】
2007072649.tif 000007
【図６】
2007072649.tif 000008
【図７】
2007072649.tif 000009
【図８】
2007072649.tif 000010